(57)【要約】      （修正有）【課題】マルチタッチ用タッチモジュールのタッチ認識過程で幾何学的関係が歪曲されることを防止することができる。【解決手段】マルチタッチ用タッチモジュールは、静電式タッチスクリーンにタッチされるタッチモジュールにおいて、静電式タッチスクリーンの静電変化を誘導する材質を含んでなり、あらかじめ設計された固有の幾何学的関係で静電式タッチスクリーンに投影される設計上の幾何学的関係に配置される複数のタッチ部と、タッチモジュールを静電式タッチスクリーンにタッチする時点に静電式タッチスクリーンに接触する接触領域を含んでなり、接触領域の反対方向に具備された内部領域に設計上の幾何学的関係に対応する指定個数のタッチ部を配置固定するかまたは内部領域を通じて設計上の幾何学的関係に対応する指定個数のタッチ部と接触するタッチ膜を具備する。【選択図】図１
2019075137.tif 000002
【特許請求の範囲】
【請求項１】
静電式タッチスクリーンにタッチされるタッチモジュールにおいて、
静電式タッチスクリーンの静電変化を誘導する材質を含んでなり、あらかじめ設計された固有の幾何学的関係で静電式タッチスクリーンに投影される設計上の幾何学的関係に配置される複数のタッチ部；および
タッチモジュールを静電式タッチスクリーンにタッチする時点に前記静電式タッチスクリーンに接触する接触領域を含んでなり、前記接触領域の反対方向に具備された内部領域に前記設計上の幾何学的関係に対応する指定個数のタッチ部を配置固定するかまたは前記内部領域を通じて前記設計上の幾何学的関係に対応する指定個数のタッチ部と接触するタッチ膜；を具備する、マルチタッチ用タッチモジュール。
【請求項２】
前記タッチ膜はタッチ部による静電式タッチを静電式タッチスクリーンに伝達可能な材質を含んでなることを特徴とする、請求項１に記載のマルチタッチ用タッチモジュール。
【請求項３】
前記タッチ膜は、
前記複数のタッチ部が形成する幾何学的関係を視覚的に露出されないように遮断する材質を含んでなることを特徴とする、請求項１に記載のマルチタッチ用タッチモジュール。
【請求項４】
前記タッチ部は、収縮後復元可能な材質を含んでなることを特徴とする、請求項１に記載のマルチタッチ用タッチモジュール。
【請求項５】
前記タッチ部は、少なくとも一つのタッチ部の高さを他のタッチ部の高さより高く配置固定することを特徴とする、請求項１に記載のマルチタッチ用タッチモジュール。
【請求項６】
前記タッチ部は、最も高いタッチ部から順次静電式タッチスクリーンに静電式でタッチされることを特徴とする、請求項５に記載のマルチタッチ用タッチモジュール。
【請求項７】
人体の静電容量を前記タッチ部に印加するフレーム部をさらに具備してなることを特徴とする、請求項１に記載のマルチタッチ用タッチモジュール。
【請求項８】
前記設計上の幾何学的関係は、各タッチ部の中点間の距離関係と角度関係のうち一つ以上の関係を含んでなることを特徴とする、請求項１に記載のマルチタッチ用タッチモジュール。
【請求項９】
前記設計上の幾何学的関係は、
複数のタッチ部のうちいずれか一つの指定タッチ部を設計上の指定された位置に固定して配置する幾何学的関係を含んでなることを特徴とする、請求項１に記載のマルチタッチ用タッチモジュール。
【請求項１０】
前記設計上の幾何学的関係は、
前記指定タッチ部の中点と残りのタッチ部の中点間の距離関係と角度関係のうち一つ以上の関係を含んでなることを特徴とする、請求項９に記載のマルチタッチ用タッチモジュール。
【請求項１１】
前記設計上の幾何学的関係は、前記指定タッチ部を通じて定められる基準点と各タッチ部の中点間の距離関係と角度関係のうち一つ以上の関係を含んでなることを特徴とする、請求項９に記載のマルチタッチ用タッチモジュール。
【請求項１２】
前記設計上の幾何学的関係に対応する複数のタッチ部を配置固定するフレーム部をさらに具備し、
前記タッチ膜は、前記内部領域を通じて前記フレーム部に配置固定されたタッチ部と接触することを特徴とする、請求項１に記載のマルチタッチ用タッチモジュール。
【請求項１３】
前記タッチ膜は、タッチモジュールを静電式タッチスクリーンにタッチする時点に、一側方向から加えられる押圧力によって前記フレーム部に配置固定されたタッチ部と接触することを特徴とする、請求項１２に記載のマルチタッチ用タッチモジュール。
【請求項１４】
タッチモジュールを静電式タッチスクリーンにタッチする前に前記フレーム部に配置固定されたタッチ部と前記タッチ膜を一定間隔以上離隔した状態で維持するスプリングをさらに具備してなることを特徴とする、請求項１２に記載のマルチタッチ用タッチモジュール。
【請求項１５】
前記タッチ膜は、
タッチモジュールを静電式タッチスクリーンにタッチする前に前記フレーム部に配置固定されたタッチ部と一定間隔以上離隔していてタッチモジュールを静電式タッチスクリーンにタッチする時点に、一側方向から加えられる押圧力によって前記フレーム部に配置固定されたタッチ部と接触することを特徴とする、請求項１２に記載のマルチタッチ用タッチモジュール。
【請求項１６】
前記フレーム部は、
前記複数のタッチ部のうち少なくとも一つのタッチ部の高さを他のタッチ部の高さより高く配置固定することを特徴とする、請求項１２に記載のマルチタッチ用タッチモジュール。
【請求項１７】
前記タッチ膜は、
前記フレーム部に配置固定された最も高い高さのタッチ部と接触状態を維持することを特徴とする、請求項１６に記載のマルチタッチ用タッチモジュール。
【請求項１８】
前記タッチ膜は、前記設計上の幾何学的関係に対応する複数のタッチ部のうち一部のタッチ部を配置固定し、
前記タッチモジュールは、前記設計上の幾何学的関係に対応する複数のタッチ部のうち残りのタッチ部を配置固定するフレーム部をさらに具備してなることを特徴とする、請求項１に記載のマルチタッチ用タッチモジュール。
【請求項１９】
前記タッチ膜は、
前記内部領域を通じて前記フレーム部に配置固定された残りのタッチ部と接触することを特徴とする、請求項１８に記載のマルチタッチ用タッチモジュール。
【請求項２０】
前記フレーム部は、
前記タッチ膜の内部領域に配置固定された一部のタッチ部と接触することを特徴とする、請求項１８に記載のマルチタッチ用タッチモジュール。
【請求項２１】
前記フレーム部は、
タッチモジュールを静電式タッチスクリーンにタッチする時点に、一側方向から加えられる押圧力によって前記タッチ膜の内部領域に配置固定されたタッチ部と接触することを特徴とする、請求項１８に記載のマルチタッチ用タッチモジュール。
【請求項２２】
前記タッチ膜は、タッチモジュールを静電式タッチスクリーンにタッチする時点に、一側方向から加えられる押圧力によって前記フレーム部に配置固定されたタッチ部と接触することを特徴とする、請求項１８に記載のマルチタッチ用タッチモジュール。
【請求項２３】
タッチモジュールを静電式タッチスクリーンにタッチする前に前記フレーム部に配置固定されたタッチ部と前記タッチ膜を一定間隔以上離隔した状態で維持するか、または前記タッチ膜の内部領域に配置固定されたタッチ部と前記フレーム部を一定間隔以上離隔した状態で維持するスプリングをさらに具備してなることを特徴とする、請求項１８に記載のマルチタッチ用タッチモジュール。
【請求項２４】
前記フレーム部は、タッチモジュールを静電式タッチスクリーンにタッチする前に前記タッチ膜の内部領域に配置固定されたタッチ部と一定間隔以上離隔していてタッチモジュールを静電式タッチスクリーンにタッチする時点に、一側方向から加えられる押圧力によって前記タッチ膜の内部領域に配置固定されたタッチ部と接触することを特徴とする、請求項１８に記載のマルチタッチ用タッチモジュール。
【請求項２５】
前記タッチ膜は、
タッチモジュールを静電式タッチスクリーンにタッチする前に前記フレーム部に配置固定されたタッチ部と一定間隔以上離隔していてタッチモジュールを静電式タッチスクリーンにタッチする時点に、一側方向から加えられる押圧力によって前記フレーム部に配置固定されたタッチ部と接触することを特徴とする、請求項１８に記載のマルチタッチ用タッチモジュール。
【請求項２６】
前記フレーム部は、
前記フレーム部に配置固定された少なくとも一つのタッチ部の高さを他のタッチ部の高さより高く配置固定することを特徴とする、請求項１８に記載のマルチタッチ用タッチモジュール。
【請求項２７】
前記タッチ膜は、
前記フレーム部に配置固定された最も高い高さのタッチ部と接触状態を維持することを特徴とする、請求項２６に記載のマルチタッチ用タッチモジュール。
【請求項２８】
前記タッチ膜は、
前記内部領域に配置固定された一つのタッチ部の高さを他のタッチ部の高さより高く配置固定することを特徴とする、請求項１８に記載のマルチタッチ用タッチモジュール。
【請求項２９】
前記フレーム部は、
前記タッチ膜の内部領域に配置固定された最も高い高さのタッチ部と接触状態を維持することを特徴とする、請求項２７に記載のマルチタッチ用タッチモジュール。
【請求項３０】
前記タッチ膜は、前記内部領域に前記設計上の幾何学的関係に対応する複数のタッチ部を配置固定し、
前記タッチモジュールは、前記タッチ膜の内部領域に配置固定されたタッチ部と接触するフレーム部をさらに具備してなることを特徴とする、請求項１に記載のマルチタッチ用タッチモジュール。
【請求項３１】
前記フレーム部は、
タッチモジュールを静電式タッチスクリーンにタッチする時点に、一側方向から加えられる押圧力によって前記タッチ膜の内部領域に配置固定されたタッチ部と接触することを特徴とする、請求項３０に記載のマルチタッチ用タッチモジュール。
【請求項３２】
タッチモジュールを静電式タッチスクリーンにタッチする前に前記タッチ膜の内部領域に配置固定されたタッチ部と前記フレーム部を一定間隔以上離隔した状態で維持するスプリングをさらに具備してなることを特徴とする、請求項３０に記載のマルチタッチ用タッチモジュール。
【請求項３３】
前記フレーム部は、
タッチモジュールを静電式タッチスクリーンにタッチする前に前記タッチ膜の内部領域に配置固定されたタッチ部と一定間隔以上離隔していてタッチモジュールを静電式タッチスクリーンにタッチする時点に、一側方向から加えられる押圧力によって前記タッチ膜の内部領域に配置固定されたタッチ部と接触することを特徴とする、請求項３０に記載のマルチタッチ用タッチモジュール。
【請求項３４】
前記タッチ膜は、
前記複数のタッチ部のうち少なくとも一つのタッチ部の高さを他のタッチ部の高さより高く配置固定することを特徴とする、請求項３０に記載のマルチタッチ用タッチモジュール。
【請求項３５】
前記フレーム部は、
前記内部領域に配置固定された最も高い高さのタッチ部と接触状態を維持することを特徴とする、請求項３３に記載のマルチタッチ用タッチモジュール。
【請求項３６】
静電式タッチスクリーンにタッチされるタッチモジュールにおいて、
静電式タッチスクリーンの静電変化を誘導する材質を含んでなり、あらかじめ設計された固有の幾何学的関係で静電式タッチスクリーンに投影される設計上の幾何学的関係に配置される複数のタッチ部；
前記設計上の幾何学的関係に対応する前記複数のタッチ部を前記設計上の幾何学的関係に配置固定するフレーム部；および
前記静電式タッチスクリーンに接触する接触領域を含んでなり、前記接触領域の反対方向に具備された内部領域を通じて前記フレーム部に配置固定されたタッチ部と接触するタッチ膜；を具備する、マルチタッチ用タッチモジュール。
【請求項３７】
静電式タッチスクリーンにタッチされるタッチモジュールにおいて、
静電式タッチスクリーンの静電変化を誘導する材質を含んでなり、あらかじめ設計された固有の幾何学的関係で静電式タッチスクリーンに投影される設計上の幾何学的関係に配置される複数のタッチ部；
前記静電式タッチスクリーンに接触する接触領域を含んでなり、前記接触領域の反対方向に具備された内部領域に前記設計上の幾何学的関係に対応する前記複数のタッチ部のうち一部のタッチ部を配置固定するタッチ膜；および
前記複数のタッチ部のうち前記タッチ膜の内部領域に配置固定されたタッチ部を除く残りのタッチ部を配置固定するフレーム部；を具備する、マルチタッチ用タッチモジュール。
【請求項３８】
前記タッチ膜は、前記フレーム部に配置固定されたタッチ部と接触し、
前記フレーム部は、前記タッチ膜の内部領域に配置固定されたタッチ部と接触することを特徴とする、請求項３７に記載のマルチタッチ用タッチモジュール。
【請求項３９】
静電式タッチスクリーンにタッチされるタッチモジュールにおいて、
静電式タッチスクリーンの静電変化を誘導する材質を含んでなり、あらかじめ設計された固有の幾何学的関係で静電式タッチスクリーンに投影される設計上の幾何学的関係に配置される複数のタッチ部；
前記静電式タッチスクリーンに接触する接触領域を含んでなり、前記接触領域の反対方向に具備された内部領域に前記設計上の幾何学的関係に対応する前記複数のタッチ部を前記設計上の幾何学的関係に配置固定するタッチ膜；および
前記タッチ膜の内部領域に配置固定されたタッチ部と接触するフレーム部；を具備する、マルチタッチ用タッチモジュール。
【請求項４０】
前記タッチ部は、少なくとも一つのタッチ部の高さを他のタッチ部の高さより高く配置固定することを特徴とする、請求項３６、３７または３９のいずれか一項に記載のマルチタッチ用タッチモジュール。
【発明の詳細な説明】
【技術分野】
【０００１】
本発明は静電変化を誘導する材質を含んでなる複数のタッチ部をあらかじめ設計された固有の設計上の幾何学的関係に配置してタッチモジュールを製作するものの、指定個数のタッチ部を静電式タッチスクリーンに接触するタッチ膜に配置または接触させて静電式でタッチすることによって、前記複数のタッチ部に対する設計上の幾何学的関係と前記複数のタッチ部が静電式タッチスクリーンにタッチ認識される機械構造が視覚的に外部に露出されないように遮断するとともに、静電式タッチ時点の認識エラーと幾何学的関係の歪曲を防止するものである。
【背景技術】
【０００２】
静電変化を誘導する材質を含んでなる複数のタッチ部をあらかじめ設計された固有の設計上の幾何学的関係に配置して製作されたタッチモジュールを、端末機に具備された静電式タッチスクリーンに静電式でタッチして認識された複数のタッチ点の幾何学的関係を判読し、前記判読された複数のタッチ点の幾何学的関係をサービス提供の識別手段および／または認証手段として利用するタッチ基盤サービスが開示される。
【０００３】
前記のようなタッチ基盤サービスでタッチ点が形成する幾何学的関係はサービス提供の識別手段および／または認証手段としてしようされるため、前記タッチモジュールに配置されるタッチ部の幾何学的関係は視覚的に外部に露出されてはならない。万一、前記タッチ部の幾何学的関係が外部に露出される場合、これを容易に複製または盗用して不正使用する問題点を発生させ得る。一方、前記タッチモジュールがタッチされる殆どの静電式タッチスクリーンは人の指を利用した静電式タッチをタッチ入力手段として使用するように最適化されている。したがって、人体の静電容量を利用してタッチする場合、２つ以内のタッチ点に対するマルチタッチには特に認識エラーは発生しない。しかし、タッチ点の幾何学的関係が形成されるためには、少なくとも３以上のタッチ点がマルチタッチされなければならず、これを識別手段および／または認証手段として利用するためには４〜５以上のタッチ点がマルチタッチされなければならない。ところで、このようにマルチタッチされるタッチ点の個数が増加する場合、特定の条件ではタッチモジュールに具備されたすべてのタッチ部がすべてタッチ認識されるのではなく、一部だけが認識される問題が発生する。例えば、一部の静電式タッチスクリーンの場合、タッチスクリーン上に横／縦の格子構造のタッチ回路が形成され得るが、この場合、横方向に３点以上がマルチタッチされるかまたは縦方向に３点以上がマルチタッチされて、同じ回路に３点以上のタッチ点がマルチタッチされる場合、静電容量が分散されて一部のタッチ点が認識されないことがある。特にタッチモジュールに具備されたタッチ部が静電式タッチスクリーンに直接タッチされずにタッチ部とタッチスクリーンの間に膜が存在する場合、静電容量は分散によって一部のタッチ点が認識されない確率がさらに増加する問題点がある。
【発明の概要】
【発明が解決しようとする課題】
【０００４】
前記のような問題点を解消するための本発明の目的は、静電変化を誘導する材質を含んでなる複数のタッチ部を静電式タッチスクリーンに投影される設計上の固有の幾何学的関係に配置するものの、前記複数のタッチ部と静電式タッチスクリーンの間にタッチ部の露出を視覚的に遮断するタッチ膜を具備するマルチタッチ用タッチモジュールを提供することにある。
【０００５】
本発明の他の目的は、タッチモジュールを静電式タッチスクリーンにタッチする時点に、静電式タッチスクリーンに接触するタッチ膜の接触領域の反対方向に具備されたタッチ膜の内部領域に前記設計上の幾何学的関係に対応する指定個数のタッチ部を配置固定するかまたは前記内部領域で前記設計上の幾何学的関係に対応する指定個数のタッチ部を接触させて静電式タッチを提供するマルチタッチ用タッチモジュールを提供することにある。
【０００６】
本発明のさらに他の目的は、タッチ膜の内部領域に配置固定されているか人の手によって加えられる押圧力によって前記タッチ膜の内部領域に接触するタッチ部を微細な時間差を置いて静電式タッチスクリーンに順次タッチ認識させることによって、タッチモジュールに具備されたタッチ部の個数が増加してもタッチモジュールに具備されたすべてのタッチ部が認識エラーを起こすことなくすべてタッチ認識されるようにするマルチタッチ用タッチモジュールを提供することにある。特に本発明は静電式タッチスクリーンにタッチ部を直接タッチせずにタッチ膜を経由してタッチするにもかかわらず、タッチ膜の内側で発生する微細な時間差マルチタッチを利用して静電式タッチスクリーンに同時にマルチタッチされるタッチ点の個数を調節して認識エラーが発生しないように制御することができる。
【０００７】
本発明のさらに他の目的は、タッチモジュールに具備されたタッチ膜を静電式タッチスクリーンに先に接触させた後、押圧力によってタッチ膜の内部領域に配置固定されているか前記タッチ膜の内部領域に接触するタッチ部を静電式タッチスクリーンにタッチ認識させることによって、静電式タッチスクリーンにタッチされるタッチ部が微細な時間差を置いて順次タッチされてもタッチ過程で加えられる押圧力によってタッチ部の幾何学的関係が歪曲されないようにするマルチタッチ用タッチモジュールを提供することにある。万一、互いに異なる高さを有したタッチ部を外部に露出させて静電式タッチスクリーンに直接タッチする場合、タッチモジュールに加えられる押圧力の大きさによって、高い高さのタッチ部は計算された面積よりも多くの面積が超過タッチされ、低い高さのタッチ部は計算された面積よりも小さい面積がタッチされて幾何学的関係の歪曲が発生する確率が増加する可能性がある。仮に、このような面積歪曲を補正して高さの差により違う面積を有したタッチ部をタッチモジュールに配置するとしても、互いに異なる高さのタッチ部が直接静電式タッチスクリーンにタッチする場合、押圧力が加えられる力の方向がタッチ部の高さの差によって特定方向に傾いて幾何学的関係の歪曲が発生する確率が増加する可能性がある。しかし、本発明は静電式タッチスクリーンにタッチ膜を先に接触させた後、タッチ膜の内部領域に配置固定されるか接触する複数のタッチ部を静電式タッチスクリーンにタッチさせることによって、タッチ認識過程でタッチモジュールによって幾何学的関係が歪曲されることを防止することができる。
【課題を解決するための手段】
【０００８】
本発明に係るマルチタッチ用タッチモジュールは、静電式タッチスクリーンにタッチされるタッチモジュールにおいて、静電式タッチスクリーンの静電変化を誘導する材質を含んでなり、あらかじめ設計された固有の幾何学的関係で静電式タッチスクリーンに投影される設計上の幾何学的関係に配置される複数のタッチ部と、タッチモジュールを静電式タッチスクリーンにタッチする時点に前記静電式タッチスクリーンに接触する接触領域を含んでなり、前記接触領域の反対方向に具備された内部領域に前記設計上の幾何学的関係に対応する指定個数のタッチ部を配置固定するかまたは前記内部領域を通じて前記設計上の幾何学的関係に対応する指定個数のタッチ部と接触するタッチ膜を具備する。
【０００９】
本発明によれば、前記タッチ膜はタッチ部による静電式タッチを静電式タッチスクリーンに伝達可能な材質を含み、前記複数のタッチ部が形成する幾何学的関係を視覚的に露出されないように遮断する材質を含むことができる。好ましくは、前記タッチ部は収縮後復元可能な材質を含むことができる。
【００１０】
本発明によれば、前記タッチ部は少なくとも一つのタッチ部の高さを他のタッチ部の高さより高く配置固定することができる。この場合、前記タッチ部は最も高いタッチ部から順次静電式タッチスクリーンに静電式でタッチすることができる。
【００１１】
本発明によれば、前記マルチタッチ用タッチモジュールは、人体の静電容量を前記タッチ部に印加するフレーム部をさらに具備することができる。
【００１２】
本発明によれば、前記設計上の幾何学的関係は各タッチ部の中点間の距離関係と角度関係のうち一つ以上の関係を含むことができる。
【００１３】
本発明によれば、前記設計上の幾何学的関係は複数のタッチ部のうちいずれか一つの指定タッチ部を設計上の指定された位置に固定して配置する幾何学的関係を含むことができる。この場合、前記設計上の幾何学的関係は前記指定タッチ部の中点と残りのタッチ部の中点間の距離関係と角度関係のうち一つ以上の関係を含むことができる。または前記設計上の幾何学的関係は前記指定タッチ部を通じて定められる基準点と各タッチ部の中点間の距離関係と角度関係のうち一つ以上の関係を含むことができる。
【００１４】
本発明によれば、前記マルチタッチ用タッチモジュールは、前記設計上の幾何学的関係に対応する複数のタッチ部を配置固定するフレーム部をさらに具備し、前記タッチ膜は、前記内部領域を通じて前記フレーム部に配置固定されたタッチ部と接触することができる。この場合、前記タッチ膜はタッチモジュールを静電式タッチスクリーンにタッチする時点に、一側方向から加えられる押圧力によって前記フレーム部に配置固定されたタッチ部と接触することができる。
【００１５】
本発明によれば、前記タッチ膜は前記設計上の幾何学的関係に対応する複数のタッチ部のうち一部のタッチ部を配置固定し、前記タッチモジュールは、前記設計上の幾何学的関係に対応する複数のタッチ部のうち残りのタッチ部を配置固定するフレーム部をさらに具備することができる。この場合、前記タッチ膜は前記内部領域を通じて前記フレーム部に配置固定された残りのタッチ部と接触することができ、前記フレーム部は前記タッチ膜の内部領域に配置固定された一部のタッチ部と接触することができる。
【００１６】
本発明によれば、前記タッチ膜は前記内部領域に前記設計上の幾何学的関係に対応する複数のタッチ部を配置固定し、前記タッチモジュールは前記タッチ膜の内部領域に配置固定されたタッチ部と接触するフレーム部をさらに具備することができる。この場合、前記フレーム部はタッチモジュールを静電式タッチスクリーンにタッチする時点に、一側方向から加えられる押圧力によって前記タッチ膜の内部領域に配置固定されたタッチ部と接触することができる。
【００１７】
一方、本発明に係るマルチタッチ用タッチモジュールは、静電式タッチスクリーンにタッチされるタッチモジュールにおいて、静電式タッチスクリーンの静電変化を誘導する材質を含んでなり、あらかじめ設計された固有の幾何学的関係で静電式タッチスクリーンに投影される設計上の幾何学的関係に配置される複数のタッチ部と、前記設計上の幾何学的関係に対応する前記複数のタッチ部を前記設計上の幾何学的関係に配置固定するフレーム部と、前記静電式タッチスクリーンに接触する接触領域を含んでなり、前記接触領域の反対方向に具備された内部領域を通じて前記フレーム部に配置固定されたタッチ部と接触するタッチ膜を具備する。
【００１８】
一方、本発明に係るマルチタッチ用タッチモジュールは、静電式タッチスクリーンにタッチされるタッチモジュールにおいて、静電式タッチスクリーンの静電変化を誘導する材質を含んでなり、あらかじめ設計された固有の幾何学的関係で静電式タッチスクリーンに投影される設計上の幾何学的関係に配置される複数のタッチ部と、前記静電式タッチスクリーンに接触する接触領域を含んでなり、前記接触領域の反対方向に具備された内部領域に前記設計上の幾何学的関係に対応する前記複数のタッチ部のうち一部のタッチ部を配置固定するタッチ膜と、前記複数のタッチ部のうち前記タッチ膜の内部領域に配置固定されたタッチ部を除く残りのタッチ部を配置固定するフレーム部を具備する。この場合、前記タッチ膜は前記フレーム部に配置固定されたタッチ部と接触し、前記フレーム部は前記タッチ膜の内部領域に配置固定されたタッチ部と接触することができる。
【００１９】
一方、本発明に係るマルチタッチ用タッチモジュールは、静電式タッチスクリーンにタッチされるタッチモジュールにおいて、静電式タッチスクリーンの静電変化を誘導する材質を含んでなり、あらかじめ設計された固有の幾何学的関係で静電式タッチスクリーンに投影される設計上の幾何学的関係に配置される複数のタッチ部と、前記静電式タッチスクリーンに接触する接触領域を含んでなり、前記接触領域の反対方向に具備された内部領域に前記設計上の幾何学的関係に対応する前記複数のタッチ部を前記設計上の幾何学的関係に配置固定するタッチ膜と、前記タッチ膜の内部領域に配置固定されたタッチ部と接触するフレーム部を具備する。
【発明の効果】
【００２０】
本発明によれば、タッチモジュールに具備される複数のタッチ部の幾何学的関係（例えば、距離および／または角度）とタッチ部の機械構造（例えば、高さの差）が視覚的に外部に露出されないように遮断することによって、前記タッチモジュールを各種タッチ基盤サービスの信頼可能な識別手段および／または認証手段として利用するようにする利点がある。
【００２１】
本発明によれば、タッチ膜の内部領域に配置固定されているか人の手によって加えられる押圧力によって前記タッチ膜の内部領域に接触するタッチ部を微細な時間差を置いて静電式タッチスクリーンに順次タッチ認識させることによって、タッチモジュールに具備されたタッチ部の個数が増加してもタッチモジュールに具備されたすべてのタッチ部が認識エラーを起こすことなくすべて有効にタッチ認識させる利点がある。例えば、タッチモジュールに具備された４以上のタッチ部を静電式タッチスクリーンに直接接触させて同時にタッチする場合、特定条件で一部のタッチ部が認識されない確率が増加するが、本発明はタッチ膜を経由して近接タッチするにもかかわらず、４以上のタッチ部を同時に直接タッチするよりも認識エラーがなく、安定的に４以上のタッチ部をすべて静電式タッチスクリーンにタッチ認識されるようにする利点がある。
【００２２】
本発明によれば、タッチモジュールに具備されたタッチ膜を静電式タッチスクリーンに先に接触させた後、押圧力によってタッチ膜の内部領域に配置固定されているか前記タッチ膜の内部領域に接触するタッチ部を静電式タッチスクリーンにタッチ認識させることによって、静電式タッチスクリーンにタッチされるタッチ部が微細な時間差を置いて順次タッチされてもタッチ過程で加えられる押圧力によってタッチ部の幾何学的関係が歪曲されないようにする利点がある。
【図面の簡単な説明】
【００２３】
【図１】タッチモジュールに具備されるタッチ部とタッチ膜の関係を図示した図面である。
【図２】本発明の第１実施方法によりタッチモジュールに具備されるタッチ部とタッチ膜およびフレーム部の関係を図示した図面である。
【図３】本発明の第１実施方法によりタッチモジュールに具備されるタッチ部とタッチ膜およびフレーム部の関係を図示した図面である。
【図４】本発明の第１実施方法によりタッチモジュールに具備されるタッチ部とタッチ膜およびフレーム部の関係を図示した図面である。
【図５】本発明の第１実施方法によりタッチモジュールに具備されるタッチ部とタッチ膜およびフレーム部の関係を図示した図面である。
【図６】本発明の第２実施方法によりタッチモジュールに具備されるタッチ部とタッチ膜およびフレーム部の関係を図示した図面である。
【図７】本発明の第２実施方法によりタッチモジュールに具備されるタッチ部とタッチ膜およびフレーム部の関係を図示した図面である。
【図８】本発明の第２実施方法によりタッチモジュールに具備されるタッチ部とタッチ膜およびフレーム部の関係を図示した図面である。
【図９】本発明の第２実施方法によりタッチモジュールに具備されるタッチ部とタッチ膜およびフレーム部の関係を図示した図面である。
【図１０】本発明の第３実施方法によりタッチモジュールに具備されるタッチ部とタッチ膜およびフレーム部の関係を図示した図面である。
【図１１】本発明の第３実施方法によりタッチモジュールに具備されるタッチ部とタッチ膜およびフレーム部の関係を図示した図面である。
【図１２】本発明の第３実施方法によりタッチモジュールに具備されるタッチ部とタッチ膜およびフレーム部の関係を図示した図面である。
【図１３】本発明の第３実施方法によりタッチモジュールに具備されるタッチ部とタッチ膜およびフレーム部の関係を図示した図面である。
【図１４】本発明の第４実施方法によりタッチモジュールに具備されるタッチ部とタッチ膜およびフレーム部の関係を図示した図面である。
【図１５】本発明の第４実施方法によりタッチモジュールに具備されるタッチ部とタッチ膜およびフレーム部の関係を図示した図面である。
【図１６】本発明の第４実施方法によりタッチモジュールに具備されるタッチ部とタッチ膜およびフレーム部の関係を図示した図面である。
【図１７】本発明の第５実施方法によりタッチモジュールに具備されるタッチ部とタッチ膜およびフレーム部の関係を図示した図面である。
【図１８】本発明の第５実施方法によりタッチモジュールに具備されるタッチ部とタッチ膜およびフレーム部の関係を図示した図面である。
【図１９】本発明の第５実施方法によりタッチモジュールに具備されるタッチ部とタッチ膜およびフレーム部の関係を図示した図面である。
【図２０】本発明の第６実施方法によりタッチモジュールに具備されるタッチ部とタッチ膜およびフレーム部の関係を図示した図面である。
【図２１】本発明の第６実施方法によりタッチモジュールに具備されるタッチ部とタッチ膜およびフレーム部の関係を図示した図面である。
【図２２】本発明の第６実施方法によりタッチモジュールに具備されるタッチ部とタッチ膜およびフレーム部の関係を図示した図面である。
【図２３】本発明の第７実施方法によりタッチモジュールに具備されるタッチ部とタッチ膜およびフレーム部の関係を図示した図面である。
【図２４】本発明の第７実施方法によりタッチモジュールに具備されるタッチ部とタッチ膜およびフレーム部の関係を図示した図面である。
【図２５】本発明の第７実施方法によりタッチモジュールに具備されるタッチ部とタッチ膜およびフレーム部の関係を図示した図面である。
【図２６】本発明の第８実施方法によりタッチモジュールに具備されるタッチ部とタッチ膜およびフレーム部の関係を図示した図面である。
【図２７】本発明の第８実施方法によりタッチモジュールに具備されるタッチ部とタッチ膜およびフレーム部の関係を図示した図面である。
【図２８】本発明の第８実施方法によりタッチモジュールに具備されるタッチ部とタッチ膜およびフレーム部の関係を図示した図面である。
【図２９】本発明の第９実施方法によりタッチモジュールに具備されるタッチ部とタッチ膜およびフレーム部の関係を図示した図面である。
【図３０】本発明の第９実施方法によりタッチモジュールに具備されるタッチ部とタッチ膜およびフレーム部の関係を図示した図面である。
【図３１】本発明の第９実施方法によりタッチモジュールに具備されるタッチ部とタッチ膜およびフレーム部の関係を図示した図面である。
【図３２】本発明の第１０実施方法によりタッチモジュールに具備されるタッチ部とタッチ膜およびフレーム部の関係を図示した図面である。
【図３３】本発明の第１０実施方法によりタッチモジュールに具備されるタッチ部とタッチ膜およびフレーム部の関係を図示した図面である。
【図３４】本発明の第１０実施方法によりタッチモジュールに具備されるタッチ部とタッチ膜およびフレーム部の関係を図示した図面である。
【図３５】本発明の一実施方法に係るタッチモジュール製作過程を図示した図面である。
【図３６】本発明の一実施方法に係るタッチモジュール製作過程を図示した図面である。
【図３７】本発明の一実施方法に係るタッチモジュール製作過程を図示した図面である。
【図３８】本発明の一実施方法に係るタッチモジュール製作過程を図示した図面である。
【図３９】本発明の一実施方法に係るタッチモジュール製作過程を図示した図面である。
【図４０】本発明の他の一実施方法に係るタッチモジュール製作過程を図示した図面である。
【図４１】本発明の他の一実施方法に係るタッチモジュール製作過程を図示した図面である。
【図４２】本発明の他の一実施方法に係るタッチモジュール製作過程を図示した図面である。
【図４３】本発明の他の一実施方法に係るタッチモジュール製作過程を図示した図面である。
【図４４】本発明の他の一実施方法に係るタッチモジュール製作過程を図示した図面である。
【発明を実施するための形態】
【００２４】
以下、添付された図面と説明を参照して本発明の好ましい実施例に対する動作原理を詳細に説明する。ただし、下記に図示される図面と後述される説明は本発明の特徴を効果的に説明するための様々な方法のうち好ましい実施方法に対するものであり、本発明は下記の図面と説明だけによって限定されるものではない。
【００２５】
すなわち、下記の実施例は本発明の数多くの実施例のうち好ましい実施例に過ぎず、下記の実施例で特定構成を省略する実施例、または特定構成に具現された機能を特定構成に分割する実施例、または二つ以上の構成に具現された機能をいずれか一つの構成に統合する実施例などは、下記の実施例で特に言及しなくてもすべて本発明の権利範囲に属するものであることは自明である。
【００２６】
また、下記で本発明を説明するにおいて、関連の公知機能または構成に対する具体的な説明が本発明の要旨を不要に曖昧にする可能性があると判断される場合にはその詳細な説明を省略する。そして、後述される用語は本発明での機能を考慮して定義された用語であって、これは使用者、運用者の意図または慣例などにより変わり得る。したがって、その定義は本発明の全般にわたった内容に基づいて下されるべきである。
【００２７】
結果的に、本発明の技術的思想は特許請求の範囲によって決定され、以下の実施例は進歩的な本発明の技術的思想を本発明が属する技術分野で通常の知識を有した者に効率的に説明するための一つの手段に過ぎない。
【００２８】
図１はタッチモジュール１００に具備されるタッチ部１０５とタッチ膜１１０の関係を図示した図面である。
【００２９】
より詳細には、図１は静電式タッチスクリーンの静電変化を誘導する材質を含んでなる複数のタッチ部１０５を設計された固有の幾何学的関係に配置して製作されるタッチモジュール１００に具備されるタッチ部１０５とタッチ膜１１０およびフレーム部１１５の関係を図示したものであって、本発明が属した技術分野で通常の知識を有した者であれば、図１を参照および／または変形して前記タッチ部１０５とタッチ膜１１０の関係に対する多様な実施方法を類推できるであろうが、本発明は前記類推されるすべての実施方法を含んでなり、図１に図示された実施方法だけでその技術的特徴が限定されない。
【００３０】
図１を参照すれば、タッチモジュール１００は、静電式タッチスクリーンの静電変化を誘導する材質を含んでなり、あらかじめ設計された固有の設計上の幾何学的関係に配置される複数のタッチ部１０５と、タッチモジュール１００を静電式タッチスクリーンにタッチする時点に前記静電式タッチスクリーンに接触する接触領域１１０ａを含んでなり、前記接触領域１１０ａの反対方向に具備された内部領域１１０ｂに前記設計上の幾何学的関係に対応する指定個数のタッチ部１０５を配置固定するかまたは前記内部領域１１０ｂを通じて前記設計上の幾何学的関係に対応する指定個数のタッチ部１０５と接触するタッチ膜１１０を具備してなり、人体の静電容量を前記タッチ部１０５に印加する材質を含んでなるフレーム部１１５を具備してなる。
【００３１】
前記タッチ部１０５は静電式タッチスクリーンに静電式でタッチ可能な静電変化誘導材質を含んでなる構成物の総称であって、好ましくは外力（例えば、押圧力）によって収縮後復元可能な静電変化誘導材質を含んでなることが好ましい。
【００３２】
本発明の第１タッチ部実施例によれば、前記タッチ部１０５は伝導性ゴム材質、伝導性プラスチック材質、伝導性シリコン材質のうち少なくとも一つのゴム弾性を有した伝導性材質を利用して製作され得、例えば、前記タッチ部１０５はあらかじめ設計された硬度（例えば、ショア（Ｓｈｏｒｅ）Ａ硬度計基準８０以下）と電気的抵抗（例えば、タッチされる部分と人体と電気的に連結される部分間の測定抵抗値が３００以下）を有するように製作され得る。
【００３３】
本発明の第２タッチ部実施例によれば、前記タッチ部１０５は金属性材質を利用して製作され得、前記金属性材質は金、銀、銅、アルミニウムなど、電気伝導率の高い（例えば、タッチされる部分と人体と電気的に連結される部分間の測定抵抗値が１未満の）金属性材質であればいかなる材質であってもよい。ただし、金属性材質は収縮および復元が難解であるため、収縮後復元可能な他の静電変化誘導材質と連結される形態でタッチモジュール１００に具備され得る。
【００３４】
本発明の第３タッチ部実施例によれば、前記タッチ部１０５は非伝導性材質に金属性材質をメッキして製作され得る。ここで前記非伝導性材質は収縮後復元可能な材質からなることが好ましい。万一、前記非伝導性材質が収縮後復元できないのであれば、収縮後復元可能な他の静電変化誘導材質と連結される形態でタッチモジュール１００に具備され得る。
【００３５】
本発明の第４タッチ部実施例によれば、前記タッチ部１０５は収縮後復元可能な弾性材質の緩衝材の外部に金属性材質の金属膜を形成して製作され得る。前記緩衝材はスポンジ、ポリウレタンなどの発泡性材質からなり得、前記金属膜は前記緩衝材に金属性材質をメッキするかおよび／または金属性材質を原糸または綿糸して製作され得る。例えば、前記タッチ部１０５はＥＭＩ遮蔽用ガスケットの構造で構成され得る。
【００３６】
本発明の第５タッチ部実施例によれば、前記タッチ部１０５は炭素ナノチューブ材質または単一壁カーボンナノチューブ材質を含む炭素繊維材質を利用して製作され得る。
【００３７】
本発明の第６タッチ部実施例によれば、前記タッチ部１０５は固体形態の誘電物質または液相の誘電物質とこれを収納する容器からなる誘電体材質を利用して製作され得る。誘電物質は電圧または電場によって分極が発生して表面に拘束電荷が生成される物質の総称であって、タッチスクリーンの表面に加えられる電圧または電場によって分極が発生して静電変化を誘導できる拘束電荷を生成する誘電率を有した強誘電物質（例えば、チタン酸バリウムまたはロッシェル塩など）を含んでなることが好ましい。
【００３８】
本発明の第７タッチ部実施例によれば、前記タッチ部１０５は前記第１〜第６タッチ部実施例を組み合わせた形態（例えば、第２タッチ部実施例の金属性材質に第４タッチ部実施例の収縮後復元可能な弾性材質の緩衝材の外部に金属性材質の金属膜を形成した材質を連結した形態）で構成され得る。
【００３９】
一方、本発明のタッチ部実施例は決して前記第１〜第７タッチ部実施例の場合に限定されず、静電式タッチスクリーンの静電変化を誘導する材質で構成されるのであれば、いかなる材質であっても本発明の権利範囲に属するものであることは明白である。
【００４０】
前記第１〜第７タッチ部実施例によって製作されたタッチ部１０５は、静電式タッチスクリーンとタッチされるように計算された接触面積を有した接触面を含んで製作される。好ましくは、前記タッチ部１０５の接触面は直径３〜７の円形、または前記直径３〜７の円の面積に対応する接触面積を有した楕円形または多角形状で製作され得る。
【００４１】
本発明の実施方法によれば、前記複数のタッチ部１０５は同じ高さで製作されるか、または少なくとも一つの高さが他のタッチ部１０５の高さより既設定された基準値以上高い高さで製作され得る。前記タッチ部１０５のうち少なくとも一つの高さが他のタッチ部１０５の高さより高く製作される場合、前記タッチ部１０５は最も高いタッチ部１０５から順次静電式タッチスクリーンに静電式でタッチされる。一方、前記複数のタッチ部１０５が同じ高さで製作されてもフレーム部１１５に押圧力が加えられてスライディングされる過程で前記タッチ部１０５は微細な時間差を置いて静電式タッチスクリーンに静電式でタッチすることができる。
【００４２】
前記タッチ膜１１０は前記タッチ部１０５による静電変化を静電式タッチスクリーンに伝達可能な材質からなる構成物の総称であって、好ましくは静電式タッチスクリーンに接触する接触領域１１０ａが具備した板の形態で製作される。前記タッチ膜１１０に具備された接触領域１１０ａの反対方向に具備された内部領域１１０ｂにタッチ部１０５を配置固定するかまたはフレーム部１１５に配置固定されたタッチ部１０５と接触することができる。
【００４３】
本発明の実施方法によれば、前記タッチ膜１１０は前記内部領域１１０ｂに配置固定されるかおよび／または接触したタッチ部１０５による静電式タッチを静電式タッチスクリーンに伝達可能な材質を含んで構成される。前記タッチ膜１１０は電気的伝導性の側面で非伝導性材質、伝導性材質と非伝導性材質の組合せ形態のうちいずれか一つで構成され得る。
【００４４】
本発明に係るタッチ膜材質の第１伝導性実施例によれば、前記タッチ膜１１０は非伝導性材質からなることが可能であり、この場合、前記タッチ膜１１０は０．２ｍｍ以内の厚さで製作されることが好ましい。すなわち、前記タッチ膜１１０の厚さが０．２ｍｍ以内では非伝導性材質であっても人体の静電容量を基準として複数のタッチ部１０５を構成する静電変化誘導材質の静電変化を９９％以上静電式タッチスクリーンに伝達可能である。ただし、非伝導性材質からなるタッチ膜１１０の厚さは前記静電式タッチスクリーンの表面に印加される電流または電圧の大きさに比例するかまたは人体の静電容量を伝達する伝導性材質からなるタッチ部１０５の抵抗に反比例して可変され得、本発明はこのような非伝導性材質からなるタッチ膜１１０の場合も権利範囲に含むことを明白に明しておく。
【００４５】
本発明に係るタッチ膜材質の第２伝導性実施例によれば、前記タッチ膜１１０は非伝導性材質に複数のホールが格子構造（またはハニカム構造）で形成され、前記複数のホールを通過してタッチ膜１１０の両面の所定領域（例えば、直径２ｍｍ前後）に金属性材質がメッキされてメッキホールが形成される形態で製作され得る。本第３タッチ膜実施例において、前記メッキホールを通過して両面の所定領域にメッキされる金属性材質が前記タッチ部１０５の静電変化を伝達する役割を遂行する。したがって、前記メッキホールは細目（例えば、メッキホールを通過して両面にメッキされた領域間の間隔が２ｍｍ前後）に配列することが好ましい。一方、タッチ膜１１０がメッキホールの形態で製作される場合、前記タッチ膜１１０の厚さは特に限定されなくてもよいが、０．２ｍｍ以内である場合に静電変化の伝達率がさらに向上する。
【００４６】
本発明に係るタッチ膜材質の第３伝導性実施例によれば、前記タッチ膜１１０は非伝導性材質の板の内部に伝導性材質（例えば、金属性材質）が埋め立てられて伝導層を形成するように製作され得る。前記伝導層は板または網の形態すべて可能である。本第３タッチ膜実施例でタッチ膜１１０自体の厚さは特に限定されなくてもよいが、前記タッチ膜１１０が静電式タッチスクリーンと接触した状態で伝導層と静電式タッチスクリーン間の間隔が０．２ｍｍ以内になるように製作されることが好ましい。
【００４７】
本発明に係るタッチ膜材質の第４伝導性実施例によれば、前記タッチ膜１１０は前記第１〜第３伝導性実施例を二つ以上組み合わせた形態で製作可能である。一方、本発明のタッチ膜１１０の実施例は前述した実施例の場合に限定されず、前記タッチ部１０５による静電変化を静電式タッチスクリーンに伝達可能な材質や特性を有するのであればいかなる形態または構成を有しても本発明の特許請求の範囲に記載された権利範囲に属することを明白に明かしておく。
【００４８】
本発明の実施方法によれば、前記タッチ膜１１０は前記内部領域１１０ｂに配置固定されるかおよび／または接触したタッチ部１０５が形成する幾何学的関係を視覚的に露出されないように遮断する材質を含んで構成される。前記タッチ膜１１０は光透過率の側面で不透明材質からなるか、少なくとも一側に不透明材質を含んでなるか、半透明材質からなるか、少なくとも一側に半透明材質を含んでなるか、透明材質からなるか、少なくとも一側に透明材質を含んでなるか、透過率可変材質からなるか、少なくとも一側に透過率可変材質を含んでなるもののうち少なくとも一つまたは二つ以上の組合せで構成され得る。
【００４９】
本発明に係るタッチ膜材質の第１透過率実施例によれば、前記タッチ膜１１０は静電変化誘導材質による静電変化を静電式タッチスクリーンに伝達可能な不透明材質からなり得る。ここで、不透明材質はタッチ膜１１０に入射した光の透過率が０％である材質を含むことが理想的であるが、外部から肉眼で前記内部領域１１０ｂに具備された複数のタッチ部１０５の指定された幾何学的関係を視覚的に識別できない光透過率まで不透明材質の範疇に属するものと定義し、その数値は光透過率が５％未満の場合まで含むものとする。
【００５０】
本発明に係るタッチ膜材質の第２透過率実施例によれば、前記タッチ膜１１０は少なくとも一側に静電変化誘導材質による静電変化を静電式タッチスクリーンに伝達可能な不透明材質を含んでなり得る。例えば、前記タッチ膜１１０は他側に透明または半透明材質を含んでなり、少なくとも一側に不透明材質の層またはフィルムが具備されるか、または不透明材質が塗布されるか塗られる形態で構成され得る。
【００５１】
本発明に係るタッチ膜材質の第３透過率実施例によれば、前記タッチ膜１１０は静電変化誘導材質による静電変化を静電式タッチスクリーンに伝達可能な半透明材質からなり得る。ここで、半透明材質はタッチ膜１１０に入射した光の透過率が不透明の範疇にも属さず透明の範疇にも属さない光透過率を有した材質を意味する。
【００５２】
本発明に係るタッチ膜材質の第４透過率実施例によれば、前記タッチ膜１１０は少なくとも一側に静電変化誘導材質による静電変化を静電式タッチスクリーンに伝達可能な半透明材質を含んでなり得る。例えば、前記タッチ膜１１０は他側に透明または不透明材質を含んでなり、少なくとも一側に半透明材質の層またはフィルムが具備されるか、または半透明材質が塗布されるか塗られる形態で構成され得る。
【００５３】
本発明に係るタッチ膜材質の第５透過率実施例によれば、前記タッチ膜１１０は静電変化誘導材質による静電変化を静電式タッチスクリーンに伝達可能な透明材質からなり得る。ここで、透明材質はタッチ膜１１０に入射した光の透過率が１００％である材質を含むことが理想的であるが、光透過率が９５％以上である材質まで透明材質の範疇に属するものと定義する。
【００５４】
本発明に係るタッチ膜材質の第６透過率実施例によれば、前記タッチ膜１１０は少なくとも一側に静電変化誘導材質による静電変化を静電式タッチスクリーンに伝達可能な透明材質を含んでなり得る。例えば、前記タッチ膜１１０は他側に不透明または半透明材質を含んでなり、少なくとも一側に透明材質の層またはフィルムが具備されるか、または透明材質が塗布されるか塗られる形態で構成され得る。
【００５５】
本発明に係るタッチ膜材質の第７透過率実施例によれば、前記タッチ膜１１０は静電変化誘導材質による静電変化を静電式タッチスクリーンに伝達可能な透過率可変材質からなり得る。ここで、透過率可変材質は電気的信号によって透過率が可変される材質の総称であって、例えば透過率可変ガラス材質を含むことができる。しかし、前記透過率可変材質は前記透過率可変ガラスに限定されず、静電変化誘導材質による静電変化を静電式タッチスクリーンに伝達可能であれば透過率が可変される材質であればいかなる材質を含んでも本発明の権利範囲に属することを明白に明かしておく。
【００５６】
本発明に係るタッチ膜材質の第８透過率実施例によれば、前記タッチ膜１１０は少なくとも一側に静電変化誘導材質による静電変化を静電式タッチスクリーンに伝達可能な透過率可変材質を含んでなり得る。例えば、前記タッチ膜１１０は他側に透明または半透明または不透明材質を含んでなり、少なくとも一側に透過率可変材質の層またはフィルムが具備されるか、または透過率可変材質が塗布されるか塗られる形態で構成され得る。
【００５７】
本発明に係るタッチ膜材質の第８透過率実施例によれば、前記タッチ膜１１０は前記第１〜第８透過率実施例を二つ以上組み合わせた形態で製作可能である。一方、本発明のタッチ膜１１０の実施例は前述した実施例の場合に限定されず、前記タッチ部１０５による静電変化を静電式タッチスクリーンに伝達可能な材質や特性を有するのであればいかなる光透過率を有しても本発明の特許請求の範囲に記載された権利範囲に属することを明白に明かしておく。
【００５８】
本発明の実施方法によれば、前記タッチ膜１１０の接触領域１１０ａを静電式タッチスクリーンに接触する時点に、前記タッチ膜１１０の内部領域１１０ｂに配置固定されるかおよび／または前記タッチ膜１１０の内部領域１１０ｂに接触したタッチ部１０５によって前記静電式タッチスクリーンに静電式タッチが発生する。
【００５９】
本発明の第１タッチ部配置実施例によれば、前記複数のタッチ部１０５はフレーム部１１５に配置固定され得、この場合、前記フレーム部１１５はあらかじめ設計された固有の設計上の幾何学的関係で複数のタッチ部１０５を配置固定する。前記複数のタッチ部１０５をフレーム部１１５に配置固定あるタッチモジュール１００を静電式タッチスクリーンにタッチする場合、前記フレーム部１１５に配置固定されたタッチ部１０５の設計上の幾何学的関係により複数のタッチ点が静電式タッチスクリーンにタッチ認識される。すなわち、前記第１タッチ部配置実施例で前記フレーム部１１５は静電式タッチスクリーン上に投影される設計上の幾何学的関係で複数のタッチ部１０５を配置固定する。
【００６０】
本発明の第２タッチ部配置実施例によれば、前記複数のタッチ部１０５はタッチ膜１１０の内部領域１１０ｂに配置固定され得、この場合、タッチ膜１１０の内部領域１１０ｂはあらかじめ設計された固有の設計上の幾何学的関係で複数のタッチ部１０５を配置固定する。前記複数のタッチ部１０５をタッチ膜１１０の内部領域１１０ｂに配置固定あるタッチモジュール１００を静電式タッチスクリーンにタッチする場合、前記タッチ膜１１０の内部領域１１０ｂに配置固定されたタッチ部１０５の設計上の幾何学的関係により複数のタッチ点が静電式タッチスクリーンにタッチ認識される。すなわち、前記第２タッチ部配置実施例で前記タッチ膜１１０の内部領域１１０ｂは静電式タッチスクリーン上に投影される設計上の幾何学的関係で複数のタッチ部１０５を配置固定する。
【００６１】
本発明の第３タッチ部配置実施例によれば、前記複数のタッチ部１０５のうち一部のタッチ部１０５はタッチ膜１１０の内部領域１１０ｂに配置固定され、残りのタッチ部１０５はフレーム部１１５に配置固定され得る。前記第３タッチ部配置実施例で前記複数のタッチ部１０５を配置する設計上の幾何学的関係は前記タッチ膜１１０の内部領域１１０ｂに配置固定された一部のタッチ部１０５の配置位置と前記フレーム部１１５に配置固定された残りのタッチ部１０５の配置位置を組み合わせた幾何学的関係で定義される。すなわち、前記第３タッチ部配置実施例で前記設計上の幾何学的関係は前記タッチ膜１１０の内部領域１１０ｂに配置固定された一部のタッチ部１０５の配置位置と前記フレーム部１１５に配置固定された残りのタッチ部１０５の配置位置を組み合わせて静電式タッチスクリーンに投影したタッチ部１０５の幾何学的関係を含んで構成される。
【００６２】
前記第１〜第３タッチ部配置実施例で前記複数のタッチ部１０５を配置する設計上の幾何学的関係は各タッチ部１０５の中点間の設計上距離関係、各タッチ部１０５の中点間の設計上角度関係、各タッチ部１０５の中点間の設計上距離関係と角度関係の組合せのうち少なくとも一つの関係を含むことができる。
【００６３】
本発明の実施方法によれば、前記複数のタッチ部１０５を配置する設計上の幾何学的関係は前記複数のタッチ部１０５のうちいずれか一つの指定タッチ部１０５を設計上のあらかじめ指定された固定位置に固定配置する幾何学的関係を含むことができる。この場合、前記設計上の幾何学的関係は前記指定タッチ部１０５の中点と残りのタッチ部１０５の中点間の設計上距離関係、前記指定タッチ部１０５の中点と残りのタッチ部１０５の中点間の設計上角度関係、前記指定タッチ部１０５の中点と残りのタッチ部１０５の中点間の設計上距離関係と角度関係の組合せのうち少なくとも一つの関係を含むことができる。一方、設計上のあらかじめ指定された固定位置に固定配置された指定タッチ部１０５は前記設計上の幾何学的関係の基準点を定める標識になり得る。この場合、設計上の幾何学的関係は前記指定タッチ部１０５を通じて定められる基準点と各タッチ部１０５の中点間の設計上距離関係、前記基準点と各タッチ部１０５の中点間の設計上角度関係、前記基準点と各タッチ部１０５の中点間の設計上距離関係と角度関係の組合せのうち少なくとも一つの関係を含むことができる。前記指定タッチ部１０５または基準点は前記タッチモジュール１００を静電式タッチスクリーンのいずれの位置いずれの方向にタッチしてもタッチ点の幾何学的関係を判読するための基準を提供する。
【００６４】
図２〜図５は本発明の第１実施方法によりタッチモジュール１００に具備されるタッチ部１０５とタッチ膜１１０およびフレーム部１１５の関係を図示した図面である。
【００６５】
より詳細には、図２〜図５は同じ高さからなる複数のタッチ部１０５をタッチ膜１１０の内部領域１１０ｂにあらかじめ設計された固有の設計上の幾何学的関係に配置固定する実施例を図示したものである。
【００６６】
図２のタッチモジュール１００は同じ高さからなる複数のタッチ部１０５をあらかじめ設計された固有の設計上の幾何学的関係に配置固定する内部領域１１０ｂを有したタッチ膜１１０を具備し、前記タッチ膜１１０の接触領域１１０ａが静電式タッチスクリーンに接触した後、押圧力が加えられる前に前記タッチ膜１１０の内部領域１１０ｂに配置固定されたタッチ部１０５と一定間隔以上離隔した状態を維持するフレーム部１１５を具備してなる。
【００６７】
図３を参照すれば、前記タッチモジュール１００はタッチ膜１１０を固定してタッチ膜１１０の内部領域１１０ｂに配置固定されたタッチ部１０５を保護するハウジング部１２０を具備してなる。前記タッチ膜１１０は前記ハウジング部１２０に固定され、前記タッチ膜１１０の内部領域１１０ｂに配置固定されたタッチ部１０５は前記タッチ膜１１０とハウジング部１２０により視覚的に外部に露出されない。
【００６８】
前記ハウジング部１２０の内部には前記タッチ膜１１０の内部領域１１０ｂに配置固定されたタッチ部１０５と接触可能な対向面を有したフレーム部１１５が具備される。前記フレーム部１１５の一側は前記ハウジング部１２０の外部に突出して前記タッチモジュール１００を手で握った人体の静電容量の印加を受ける。一方、前記ハウジング部１２０の外部に突出したフレーム部１１５は人の手で把持できる取っ手部１３０と連結され得、前記取っ手部１３０は前記フレーム部１１５と電気的に連結される伝導性材質を含んで構成される。
【００６９】
図３を参照すれば、前記タッチモジュール１００は前記タッチ膜１１０の接触領域１１０ａを静電式タッチスクリーンに接触させて押圧力が加えられる前に前記タッチ膜１１０の内部領域１１０ｂに配置固定されたタッチ部１０５とフレーム部１１５を一定間隔以上離隔した状態を維持させるスプリング１２５を具備する。一方、前記スプリング１２５は図５の実施例の通り、省略可能である。
【００７０】
図４を参照すれば、前記タッチ膜１１０の接触領域１１０ａが静電式タッチスクリーンに接触した状態で押圧力が加えられると前記フレーム部１１５は前記タッチ膜１１０の内部領域１１０ｂに配置固定されたタッチ部１０５と接触し、このとき、押圧力を加える人体の静電容量はフレーム部１１５を経てタッチ膜１１０の内部領域１１０ｂに配置固定されたタッチ部１０５に印加され、タッチ膜１１０の内部領域１１０ｂに配置固定された複数のタッチ部１０５はあらかじめ設計された固有の設計上の幾何学的関係により静電式タッチスクリーンにタッチ認識される。
【００７１】
図６〜図９は本発明の第２実施方法によりタッチモジュール１００に具備されるタッチ部１０５とタッチ膜１１０およびフレーム部１１５の関係を図示した図面である。
【００７２】
より詳細には、図６〜図９は同じ高さからなる複数のタッチ部１０５をフレーム部１１５にあらかじめ設計された固有の設計上の幾何学的関係に配置固定する実施例を図示したものである。
【００７３】
図６のタッチモジュール１００は同じ高さからなる複数のタッチ部１０５をあらかじめ設計された固有の設計上の幾何学的関係に配置固定するフレーム部１１５を具備し、前記タッチ膜１１０の接触領域１１０ａが静電式タッチスクリーンに接触した後、押圧力が加えられる前に前記フレーム部１１５に配置固定されたタッチ部１０５と一定間隔以上離隔した状態を維持するタッチ膜１１０を具備してなる。
【００７４】
図７を参照すれば、前記タッチモジュール１００はタッチ膜１１０を固定してフレーム部１１５に配置固定されたタッチ部１０５を保護するハウジング部１２０を具備してなる。前記タッチ膜１１０は前記ハウジング部１２０に固定され、前記フレーム部１１５に配置固定されたタッチ部１０５は前記タッチ膜１１０とハウジング部１２０により視覚的に外部に露出されない。
【００７５】
前記フレーム部１１５の一側は前記ハウジング部１２０の外部に突出して前記タッチモジュール１００を手で握った人体の静電容量の印加を受ける。一方、前記ハウジング部１２０の外部に突出したフレーム部１１５は人の手で把持できる取っ手部１３０と連結され得、前記取っ手部１３０は前記フレーム部１１５と電気的に連結される伝導性材質を含んで構成される。
【００７６】
図７を参照すれば、前記タッチモジュール１００は前記タッチ膜１１０の接触領域１１０ａを静電式タッチスクリーンに接触させて押圧力が加えられる前に前記フレーム部１１５に配置固定されたタッチ部１０５とタッチ膜１１０の内部領域１１０ｂを一定間隔以上離隔した状態を維持させるスプリング１２５を具備する。一方、前記スプリング１２５は図９の実施例の通り、省略可能である。
【００７７】
図８を参照すれば、前記タッチ膜１１０の接触領域１１０ａが静電式タッチスクリーンに接触した状態で押圧力が加えられると前記フレーム部１１５に配置固定されたタッチ部１０５は前記タッチ膜１１０の内部領域１１０ｂに接触し、このとき、押圧力を加える人体の静電容量はフレーム部１１５を経てタッチ部１０５に印加され、フレーム部１１５に配置固定された複数のタッチ部１０５はタッチ膜１１０の内部領域１１０ｂと接触してあらかじめ設計された固有の設計上の幾何学的関係により静電式タッチスクリーンにタッチ認識される。
【００７８】
図１０〜図１３は本発明の第３実施方法によりタッチモジュール１００に具備されるタッチ部１０５とタッチ膜１１０およびフレーム部１１５の関係を図示した図面である。
【００７９】
より詳細には、図１０〜図１３は同じ高さからなる複数のタッチ部１０５のうち一部のタッチ部１０５をタッチ膜１１０の内部領域１１０ｂに配置固定し、残りのタッチ部１０５をフレーム部１１５に配置固定する実施例を図示したものである。
【００８０】
図１０のタッチモジュール１００は同じ高さからなる複数のタッチ部１０５のうち一部のタッチ部１０５を配置固定する内部領域１１０ｂを有したタッチ膜１１０と前記タッチ膜１１０の内部領域１１０ｂに配置固定されたタッチ部１０５を除く残りのタッチ部１０５を配置固定するフレーム部１１５を具備し、前記タッチ膜１１０の内部領域１１０ｂに配置固定されたタッチ部１０５の配置位置とフレーム部１１５に配置固定されたタッチ部１０５の配置位置を組み合わせた幾何学的関係はあらかじめ設計された固有の設計上の幾何学的関係を形成する。
【００８１】
図１０を参照すれば、前記タッチ膜１１０の接触領域１１０ａを静電式タッチスクリーンに接触させて押圧力が加えられる前に前記タッチ膜１１０の内部領域１１０ｂに配置固定されたタッチ部１０５は前記フレーム部１１５と一定間隔以上離隔した状態を維持し、前記フレーム部１１５に配置固定されたタッチ部１０５は前記タッチ膜１１０の内部領域１１０ｂと一定間隔以上離隔した状態を維持する。
【００８２】
図１１を参照すれば、前記タッチモジュール１００はタッチ膜１１０を固定してタッチ膜１１０の内部領域１１０ｂとフレーム部１１５に分散配置固定されたタッチ部１０５を保護するハウジング部１２０を具備してなる。前記タッチ膜１１０は前記ハウジング部１２０に固定され、前記タッチ膜１１０の内部領域１１０ｂとフレーム部１１５に分散配置固定されたタッチ部１０５は前記タッチ膜１１０とハウジング部１２０により視覚的に外部に露出されない。
【００８３】
前記フレーム部１１５の一側は前記ハウジング部１２０の外部に突出して前記タッチモジュール１００を手で握った人体の静電容量の印加を受ける。一方、前記ハウジング部１２０の外部に突出したフレーム部１１５は人の手で把持できる取っ手部１３０と連結され得、前記取っ手部１３０は前記フレーム部１１５と電気的に連結される伝導性材質を含んで構成される。
【００８４】
図１１を参照すれば、前記タッチモジュール１００は前記タッチ膜１１０の接触領域１１０ａを静電式タッチスクリーンに接触させて押圧力が加えられる前に前記フレーム部１１５に配置固定されたタッチ部１０５とタッチ膜１１０の内部領域１１０ｂを一定間隔以上離隔した状態を維持させるスプリング１２５を具備する。一方、前記スプリング１２５は図１３の実施例の通り、省略可能である。
【００８５】
図１２を参照すれば、前記タッチ膜１１０の接触領域１１０ａが静電式タッチスクリーンに接触した状態で押圧力が加えられると前記タッチ膜１１０の内部領域１１０ｂに配置固定されたタッチ部１０５は前記フレーム部１１５に接触して前記フレーム部１１５に配置固定されたタッチ部１０５は前記タッチ膜１１０の内部領域１１０ｂに接触する。このとき、押圧力を加える人体の静電容量はフレーム部１１５を経てタッチ部１０５に印加され、タッチ膜１１０の内部領域１１０ｂとフレーム部１１５に配置固定されたタッチ部１０５はあらかじめ設計された固有の設計上の幾何学的関係により静電式タッチスクリーンにタッチ認識される。
【００８６】
図１４〜図１６は本発明の第４実施方法によりタッチモジュール１００に具備されるタッチ部１０５とタッチ膜１１０およびフレーム部１１５の関係を図示した図面である。
【００８７】
より詳細には、図１４〜図１６は少なくとも一つのタッチ部１０５の高さを他のタッチ部１０５の高さと異なる高さからなる複数のタッチ部１０５をタッチ膜１１０の内部領域１１０ｂにあらかじめ設計された固有の設計上の幾何学的関係に配置固定する実施例を図示したものである。
【００８８】
図１４のタッチモジュール１００は少なくとも一つのタッチ部１０５の高さを他のタッチ部１０５の高さと異なる高さからなる複数のタッチ部１０５をあらかじめ設計された固有の設計上の幾何学的関係に配置固定する内部領域１１０ｂを有したタッチ膜１１０を具備し、前記タッチ膜１１０の接触領域１１０ａが静電式タッチスクリーンに接触した後、押圧力が加えられる前に前記タッチ膜１１０の内部領域１１０ｂに配置固定されたタッチ部１０５と一定間隔以上離隔した状態を維持するフレーム部１１５を具備してなる。
【００８９】
図１５を参照すれば、前記タッチモジュール１００はタッチ膜１１０を固定してタッチ膜１１０の内部領域１１０ｂに配置固定されたタッチ部１０５を保護するハウジング部１２０を具備してなる。前記タッチ膜１１０は前記ハウジング部１２０に固定され、前記タッチ膜１１０の内部領域１１０ｂに配置固定されたタッチ部１０５は前記タッチ膜１１０とハウジング部１２０により視覚的に外部に露出されない。
【００９０】
前記ハウジング部１２０の内部には前記タッチ膜１１０の内部領域１１０ｂに配置固定されたタッチ部１０５と接触可能な対向面を有したフレーム部１１５が具備される。前記フレーム部１１５の一側は前記ハウジング部１２０の外部に突出して前記タッチモジュール１００を手で握った人体の静電容量の印加を受ける。一方、前記ハウジング部１２０の外部に突出したフレーム部１１５は人の手で把持できる取っ手部１３０と連結され得、前記取っ手部１３０は前記フレーム部１１５と電気的に連結される伝導性材質を含んで構成される。
【００９１】
図１５を参照すれば、前記タッチモジュール１００は前記タッチ膜１１０の接触領域１１０ａを静電式タッチスクリーンに接触させて押圧力が加えられる前に前記タッチ膜１１０の内部領域１１０ｂに配置固定されたタッチ部１０５とフレーム部１１５を一定間隔以上離隔した状態を維持させるスプリング１２５を具備する。
【００９２】
図１６を参照すれば、前記タッチ膜１１０の接触領域１１０ａが静電式タッチスクリーンに接触した状態で押圧力が加えられると前記タッチ膜１１０の内部領域１１０ｂに配置固定されたタッチ部１０５のうち最も高い高さのタッチ部１０５から前記フレーム部１１５に順次接触し、このとき、押圧力を加える人体の静電容量はフレーム部１１５を経てタッチ膜１１０の内部領域１１０ｂに互いに異なる高さで配置固定されたそれぞれのタッチ部１０５に順次印加され、タッチ膜１１０の内部領域１１０ｂに配置固定された複数のタッチ部１０５はあらかじめ設計された固有の設計上の幾何学的関係により静電式タッチスクリーンに順次タッチ認識される。
【００９３】
図１７〜図１９は本発明の第５実施方法によりタッチモジュール１００に具備されるタッチ部１０５とタッチ膜１１０およびフレーム部１１５の関係を図示した図面である。
【００９４】
より詳細には、図１７〜図１９は少なくとも一つのタッチ部１０５の高さを他のタッチ部１０５の高さと異なる高さからなる複数のタッチ部１０５をフレーム部１１５にあらかじめ設計された固有の設計上の幾何学的関係に配置固定する実施例を図示したものである。
【００９５】
図１７のタッチモジュール１００は少なくとも一つのタッチ部１０５の高さを他のタッチ部１０５の高さと異なる高さからなる複数のタッチ部１０５をあらかじめ設計された固有の設計上の幾何学的関係に配置固定するフレーム部１１５を具備し、前記タッチ膜１１０の接触領域１１０ａが静電式タッチスクリーンに接触した後、押圧力が加えられる前に前記フレーム部１１５に配置固定されたタッチ部１０５と一定間隔以上離隔した状態を維持するタッチ膜１１０を具備してなる。
【００９６】
図１８を参照すれば、前記タッチモジュール１００はタッチ膜１１０を固定してフレーム部１１５に配置固定されたタッチ部１０５を保護するハウジング部１２０を具備してなる。前記タッチ膜１１０は前記ハウジング部１２０に固定され、前記フレーム部１１５に配置固定されたタッチ部１０５は前記タッチ膜１１０とハウジング部１２０により視覚的に外部に露出されない。
【００９７】
前記フレーム部１１５の一側は前記ハウジング部１２０の外部に突出して前記タッチモジュール１００を手で握った人体の静電容量の印加を受ける。一方、前記ハウジング部１２０の外部に突出したフレーム部１１５は人の手で把持できる取っ手部１３０と連結され得、前記取っ手部１３０は前記フレーム部１１５と電気的に連結される伝導性材質を含んで構成される。
【００９８】
図１８を参照すれば、前記タッチモジュール１００は前記タッチ膜１１０の接触領域１１０ａを静電式タッチスクリーンに接触させて押圧力が加えられる前に前記フレーム部１１５に配置固定されたタッチ部１０５とタッチ膜１１０の内部領域１１０ｂを一定間隔以上離隔した状態を維持させるスプリング１２５を具備する。
【００９９】
図１９を参照すれば、前記タッチ膜１１０の接触領域１１０ａが静電式タッチスクリーンに接触した状態で押圧力が加えられると前記フレーム部１１５に配置固定されたタッチ部１０５のうち最も高い高さのタッチ部１０５から前記タッチ膜１１０の内部領域１１０ｂに順次接触し、このとき、押圧力を加える人体の静電容量はフレーム部１１５を経てタッチ部１０５に印加され、フレーム部１１５に配置固定された複数のタッチ部１０５はタッチ膜１１０の内部領域１１０ｂに順次接触してあらかじめ設計された固有の設計上の幾何学的関係により静電式タッチスクリーンに順次タッチ認識される。
【０１００】
図２０〜図２２は本発明の第６実施方法によりタッチモジュール１００に具備されるタッチ部１０５とタッチ膜１１０およびフレーム部１１５の関係を図示した図面である。
【０１０１】
より詳細には、図２０〜図２２は少なくとも一つのタッチ部１０５の高さを他のタッチ部１０５の高さと異なる高さからなる複数のタッチ部１０５のうち一部のタッチ部１０５をタッチ膜１１０の内部領域１１０ｂに配置固定し、残りのタッチ部１０５をフレーム部１１５に配置固定する実施例を図示したものである。
【０１０２】
図２０のタッチモジュール１００は少なくとも一つのタッチ部１０５の高さを他のタッチ部１０５の高さと異なる高さからなる複数のタッチ部１０５のうち一部のタッチ部１０５を配置固定する内部領域１１０ｂを有したタッチ膜１１０と前記タッチ膜１１０の内部領域１１０ｂに配置固定されたタッチ部１０５を除く残りのタッチ部１０５を配置固定するフレーム部１１５を具備し、前記タッチ膜１１０の内部領域１１０ｂに配置固定されたタッチ部１０５の配置位置とフレーム部１１５に配置固定されたタッチ部１０５の配置位置を組み合わせた幾何学的関係はあらかじめ設計された固有の設計上の幾何学的関係を形成する。
【０１０３】
図２０を参照すれば、前記タッチ膜１１０の接触領域１１０ａを静電式タッチスクリーンに接触させて押圧力が加えられる前に前記タッチ膜１１０の内部領域１１０ｂに配置固定されたタッチ部１０５は前記フレーム部１１５と一定間隔以上離隔した状態を維持し、前記フレーム部１１５に配置固定されたタッチ部１０５は前記タッチ膜１１０の内部領域１１０ｂと一定間隔以上離隔した状態を維持する。
【０１０４】
図２１を参照すれば、前記タッチモジュール１００はタッチ膜１１０を固定してタッチ膜１１０の内部領域１１０ｂとフレーム部１１５に分散配置固定されたタッチ部１０５を保護するハウジング部１２０を具備してなる。前記タッチ膜１１０は前記ハウジング部１２０に固定され、前記タッチ膜１１０の内部領域１１０ｂとフレーム部１１５に分散配置固定されたタッチ部１０５は前記タッチ膜１１０とハウジング部１２０により視覚的に外部に露出されない。
【０１０５】
前記フレーム部１１５の一側は前記ハウジング部１２０の外部に突出して前記タッチモジュール１００を手で握った人体の静電容量の印加を受ける。一方、前記ハウジング部１２０の外部に突出したフレーム部１１５は人の手で把持できる取っ手部１３０と連結され得、前記取っ手部１３０は前記フレーム部１１５と電気的に連結される伝導性材質を含んで構成される。
【０１０６】
図２１を参照すれば、前記タッチモジュール１００は前記タッチ膜１１０の接触領域１１０ａを静電式タッチスクリーンに接触させて押圧力が加えられる前に前記フレーム部１１５に配置固定されたタッチ部１０５とタッチ膜１１０の内部領域１１０ｂを一定間隔以上離隔した状態を維持させるスプリング１２５を具備する。
【０１０７】
図２２を参照すれば、前記タッチ膜１１０の接触領域１１０ａが静電式タッチスクリーンに接触した状態で押圧力が加えられると前記タッチ膜１１０の内部領域１１０ｂに配置固定されたタッチ部１０５のうち高い高さのタッチ部１０５からフレーム部１１５に順次接触し、前記フレーム部１１５に配置固定されたタッチ部１０５のうち高い高さのタッチ部１０５からタッチ膜１１０の内部領域１１０ｂに順次接触する。万一、前記複数のタッチ部１０５のうち最も高い高さのタッチ部１０５がタッチ膜１１０の内部領域１１０ｂに配置固定されているのであれば、前記押圧力によって前記タッチ膜１１０の内部領域１１０ｂに配置固定された最も高い高さのタッチ部１０５からフレーム部１１５に接触する。または前記複数のタッチ部１０５のうち最も高い高さのタッチ部１０５がフレーム部１１５に配置固定されているのであれば、前記押圧力によって前記フレーム部１１５に配置固定された最も高い高さのタッチ部１０５からタッチ膜１１０の内部領域１１０ｂに接触する。このとき、押圧力を加える人体の静電容量はフレーム部１１５に配置固定されたタッチ部１０５にまず印加され、タッチ膜１１０の内部領域１１０ｂに配置固定されたタッチ部１０５が前記フレーム部１１５と接触するにつれて前記タッチ膜１１０の内部領域１１０ｂに配置固定されたタッチ部１０５にも印加される。前記タッチ膜１１０の内部領域１１０ｂに配置固定されたタッチ部１０５がフレーム部１１５に接触する順序と前記フレーム部１１５に配置固定されたタッチ部１０５が前記タッチ膜１１０の内部領域１１０ｂに接触する順序により、前記タッチ膜１１０の内部領域１１０ｂとフレーム部１１５に異なる高さで分散配置固定されたタッチ部１０５はあらかじめ設計された固有の設計上の幾何学的関係により静電式タッチスクリーンに順次タッチ認識される。
【０１０８】
図２３〜図２５は本発明の第７実施方法によりタッチモジュール１００に具備されるタッチ部１０５とタッチ膜１１０およびフレーム部１１５の関係を図示した図面である。
【０１０９】
より詳細には、図２３〜図２５は少なくとも一つのタッチ部１０５の高さを他のタッチ部１０５の高さと異なる高さからなる複数のタッチ部１０５をタッチ膜１１０の内部領域１１０ｂにあらかじめ設計された固有の設計上の幾何学的関係に配置固定する他の実施例を図示したものである。
【０１１０】
図２３のタッチモジュール１００は少なくとも一つのタッチ部１０５の高さを他のタッチ部１０５の高さと異なる高さからなる複数のタッチ部１０５をあらかじめ設計された固有の設計上の幾何学的関係に配置固定する内部領域１１０ｂを有したタッチ膜１１０を具備し、前記タッチ膜１１０の内部領域１１０ｂに配置固定されたタッチ部１０５のうち最も高い高さのタッチ部１０５と接触状態を維持するフレーム部１１５を具備してなる。
【０１１１】
図２４を参照すれば、前記タッチモジュール１００はタッチ膜１１０を固定してタッチ膜１１０の内部領域１１０ｂに配置固定されたタッチ部１０５を保護するハウジング部１２０を具備してなる。前記タッチ膜１１０は前記ハウジング部１２０に固定され、前記タッチ膜１１０の内部領域１１０ｂに配置固定されたタッチ部１０５は前記タッチ膜１１０とハウジング部１２０により視覚的に外部に露出されない。
【０１１２】
前記ハウジング部１２０の内部には前記タッチ膜１１０の内部領域１１０ｂに配置固定されたタッチ部１０５と接触可能な対向面を有したフレーム部１１５が具備される。前記フレーム部１１５の一側は前記ハウジング部１２０の外部に突出して前記タッチモジュール１００を手で握った人体の静電容量の印加を受ける。一方、前記ハウジング部１２０の外部に突出したフレーム部１１５は人の手で把持できる取っ手部１３０と連結され得、前記取っ手部１３０は前記フレーム部１１５と電気的に連結される伝導性材質を含んで構成される。
【０１１３】
図２５を参照すれば、前記タッチ膜１１０の接触領域１１０ａが静電式タッチスクリーンに接触した状態で押圧力が加えられると前記タッチ膜１１０の内部領域１１０ｂに配置固定されたタッチ部１０５はそれぞれの高さにより前記フレーム部１１５に順次接触し、このとき、押圧力を加える人体の静電容量はフレーム部１１５を経てタッチ膜１１０の内部領域１１０ｂに互いに異なる高さで配置固定されたそれぞれのタッチ部１０５に順次印加され、タッチ膜１１０の内部領域１１０ｂに配置固定された複数のタッチ部１０５はあらかじめ設計された固有の設計上の幾何学的関係により静電式タッチスクリーンに順次タッチ認識される。
【０１１４】
図２６〜図２８は本発明の第８実施方法によりタッチモジュール１００に具備されるタッチ部１０５とタッチ膜１１０およびフレーム部１１５の関係を図示した図面である。
【０１１５】
より詳細には、図２６〜図２８は少なくとも一つのタッチ部１０５の高さを他のタッチ部１０５の高さと異なる高さからなる複数のタッチ部１０５をフレーム部１１５にあらかじめ設計された固有の設計上の幾何学的関係に配置固定する他の実施例を図示したものである。
【０１１６】
図２６のタッチモジュール１００は少なくとも一つのタッチ部１０５の高さを他のタッチ部１０５の高さと異なる高さからなる複数のタッチ部１０５をあらかじめ設計された固有の設計上の幾何学的関係に配置固定するフレーム部１１５を具備し、前記フレーム部１１５に配置固定されたタッチ部１０５のうち最も高い高さのタッチ部１０５と接触状態を維持するタッチ膜１１０を具備してなる。
【０１１７】
図２７を参照すれば、前記タッチモジュール１００はタッチ膜１１０を固定してフレーム部１１５に配置固定されたタッチ部１０５を保護するハウジング部１２０を具備してなる。前記タッチ膜１１０は前記ハウジング部１２０に固定され、前記フレーム部１１５に配置固定されたタッチ部１０５は前記タッチ膜１１０とハウジング部１２０により視覚的に外部に露出されない。
【０１１８】
前記フレーム部１１５の一側は前記ハウジング部１２０の外部に突出して前記タッチモジュール１００を手で握った人体の静電容量の印加を受ける。一方、前記ハウジング部１２０の外部に突出したフレーム部１１５は人の手で把持できる取っ手部１３０と連結され得、前記取っ手部１３０は前記フレーム部１１５と電気的に連結される伝導性材質を含んで構成される。
【０１１９】
図２８を参照すれば、前記タッチ膜１１０の接触領域１１０ａが静電式タッチスクリーンに接触した状態で押圧力が加えられると前記フレーム部１１５に配置固定されたタッチ部１０５はそれぞれの高さにより前記タッチ膜１１０の内部領域１１０ｂに順次接触し、このとき、押圧力を加える人体の静電容量はフレーム部１１５を経てタッチ部１０５に印加され、フレーム部１１５に配置固定された複数のタッチ部１０５はタッチ膜１１０の内部領域１１０ｂに順次接触してあらかじめ設計された固有の設計上の幾何学的関係により静電式タッチスクリーンに順次タッチ認識される。
【０１２０】
図２９〜図３１は本発明の第９実施方法によりタッチモジュール１００に具備されるタッチ部１０５とタッチ膜１１０およびフレーム部１１５の関係を図示した図面である。
【０１２１】
より詳細には、図２９〜図３１は少なくとも一つのタッチ部１０５の高さを他のタッチ部１０５の高さと異なる高さからなる複数のタッチ部１０５のうち一部のタッチ部１０５をタッチ膜１１０の内部領域１１０ｂに配置固定し、残りのタッチ部１０５をフレーム部１１５に配置固定する他の実施例を図示したものである。
【０１２２】
図２９のタッチモジュール１００は少なくとも一つのタッチ部１０５の高さを他のタッチ部１０５の高さと異なる高さからなる複数のタッチ部１０５のうち一部のタッチ部１０５を配置固定する内部領域１１０ｂを有したタッチ膜１１０と前記タッチ膜１１０の内部領域１１０ｂに配置固定されたタッチ部１０５を除く残りのタッチ部１０５を配置固定するフレーム部１１５を具備し、前記タッチ膜１１０の内部領域１１０ｂに配置固定されたタッチ部１０５の配置位置とフレーム部１１５に配置固定されたタッチ部１０５の配置位置を組み合わせた幾何学的関係はあらかじめ設計された固有の設計上の幾何学的関係を形成する。
【０１２３】
図２９を参照すれば、前記フレーム部１１５は前記複数のタッチ部１０５のうち最も高い高さのタッチ部１０５を配置固定し、前記フレーム部１１５に配置固定された最も高い高さのタッチ部１０５は前記タッチ膜１１０の内部領域１１０ｂと接触した状態を維持する。
【０１２４】
図３０を参照すれば、前記タッチモジュール１００はタッチ膜１１０を固定してタッチ膜１１０の内部領域１１０ｂとフレーム部１１５に分散配置固定されたタッチ部１０５を保護するハウジング部１２０を具備してなる。前記タッチ膜１１０は前記ハウジング部１２０に固定され、前記タッチ膜１１０の内部領域１１０ｂとフレーム部１１５に分散配置固定されたタッチ部１０５は前記タッチ膜１１０とハウジング部１２０により視覚的に外部に露出されない。
【０１２５】
前記フレーム部１１５の一側は前記ハウジング部１２０の外部に突出して前記タッチモジュール１００を手で握った人体の静電容量の印加を受ける。一方、前記ハウジング部１２０の外部に突出したフレーム部１１５は人の手で把持できる取っ手部１３０と連結され得、前記取っ手部１３０は前記フレーム部１１５と電気的に連結される伝導性材質を含んで構成される。
【０１２６】
図３１を参照すれば、前記タッチ膜１１０の接触領域１１０ａが静電式タッチスクリーンに接触した状態で押圧力が加えられると前記タッチ膜１１０の内部領域１１０ｂに配置固定されたタッチ部１０５のうち高い高さのタッチ部１０５からフレーム部１１５に順次接触し、前記フレーム部１１５に配置固定されたタッチ部１０５のうち高い高さのタッチ部１０５からタッチ膜１１０の内部領域１１０ｂに順次接触する。このとき、押圧力を加える人体の静電容量はフレーム部１１５に配置固定されたタッチ部１０５と前記タッチ膜１１０の内部領域１１０ｂに配置固定されたタッチ部１０５のうち最も高い高さのタッチ部１０５にまず印加され、タッチ膜１１０の内部領域１１０ｂに配置固定されたタッチ部１０５が前記フレーム部１１５と接触するにつれて前記タッチ膜１１０の内部領域１１０ｂに配置固定されたタッチ部１０５にも印加される。
【０１２７】
図３１を参照すれば、前記タッチ膜１１０の内部領域１１０ｂとフレーム部１１５に異なる高さで分散配置固定されたタッチ部１０５のうち前記フレーム部１１５に配置固定された最も高い高さのタッチ部１０５から静電式タッチスクリーンにまずタッチ認識され、押圧力によって前記タッチ膜１１０の内部領域１１０ｂに配置固定されたタッチ部１０５がフレーム部１１５に接触する順序と前記フレーム部１１５に配置固定されたタッチ部１０５が前記タッチ膜１１０の内部領域１１０ｂに接触する順序により、残りのタッチ部１０５があらかじめ設計された固有の設計上の幾何学的関係により静電式タッチスクリーンに順次タッチ認識される。
【０１２８】
図３２〜図３４は本発明の第１０実施方法によりタッチモジュール１００に具備されるタッチ部１０５とタッチ膜１１０およびフレーム部１１５の関係を図示した図面である。
【０１２９】
より詳細には、図３２〜図３４は少なくとも一つのタッチ部１０５の高さを他のタッチ部１０５の高さと異なる高さからなる複数のタッチ部１０５のうち一部のタッチ部１０５をタッチ膜１１０の内部領域１１０ｂに配置固定し、残りのタッチ部１０５をフレーム部１１５に配置固定するさらに他の実施例を図示したものである。
【０１３０】
図３２のタッチモジュール１００は少なくとも一つのタッチ部１０５の高さを他のタッチ部１０５の高さと異なる高さからなる複数のタッチ部１０５のうち一部のタッチ部１０５を配置固定する内部領域１１０ｂを有したタッチ膜１１０と前記タッチ膜１１０の内部領域１１０ｂに配置固定されたタッチ部１０５を除く残りのタッチ部１０５を配置固定するフレーム部１１５を具備し、前記タッチ膜１１０の内部領域１１０ｂに配置固定されたタッチ部１０５の配置位置とフレーム部１１５に配置固定されたタッチ部１０５の配置位置を組み合わせた幾何学的関係はあらかじめ設計された固有の設計上の幾何学的関係を形成する。
【０１３１】
図３２を参照すれば、前記タッチ膜１１０の内部領域１１０ｂは前記複数のタッチ部１０５のうち最も高い高さのタッチ部１０５を配置固定し、前記タッチ膜１１０の内部領域１１０ｂに配置固定された最も高い高さのタッチ部１０５は前記フレーム部１１５と接触した状態を維持する。
【０１３２】
図３３を参照すれば、前記タッチモジュール１００はタッチ膜１１０を固定してタッチ膜１１０の内部領域１１０ｂとフレーム部１１５に分散配置固定されたタッチ部１０５を保護するハウジング部１２０を具備してなる。前記タッチ膜１１０は前記ハウジング部１２０に固定され、前記タッチ膜１１０の内部領域１１０ｂとフレーム部１１５に分散配置固定されたタッチ部１０５は前記タッチ膜１１０とハウジング部１２０により視覚的に外部に露出されない。
【０１３３】
前記フレーム部１１５の一側は前記ハウジング部１２０の外部に突出して前記タッチモジュール１００を手で握った人体の静電容量の印加を受ける。一方、前記ハウジング部１２０の外部に突出したフレーム部１１５は人の手で把持できる取っ手部１３０と連結され得、前記取っ手部１３０は前記フレーム部１１５と電気的に連結される伝導性材質を含んで構成される。
【０１３４】
図３４を参照すれば、前記タッチ膜１１０の接触領域１１０ａが静電式タッチスクリーンに接触した状態で押圧力が加えられると前記タッチ膜１１０の内部領域１１０ｂに配置固定されたタッチ部１０５のうち高い高さのタッチ部１０５からフレーム部１１５に順次接触し、前記フレーム部１１５に配置固定されたタッチ部１０５のうち高い高さのタッチ部１０５からタッチ膜１１０の内部領域１１０ｂに順次接触する。このとき、押圧力を加える人体の静電容量はフレーム部１１５に配置固定されたタッチ部１０５にまず印加され、タッチ膜１１０の内部領域１１０ｂに配置固定されたタッチ部１０５が前記フレーム部１１５と接触するにつれて前記タッチ膜１１０の内部領域１１０ｂに配置固定されたタッチ部１０５にも印加される。
【０１３５】
図３４を参照すれば、前記タッチ膜１１０の内部領域１１０ｂとフレーム部１１５に異なる高さで分散配置固定されたタッチ部１０５のうち前記タッチ膜１１０の内部領域１１０ｂに配置固定された最も高い高さのタッチ部１０５から静電式タッチスクリーンにまずタッチ認識され、押圧力によって前記タッチ膜１１０の内部領域１１０ｂに配置固定されたタッチ部１０５がフレーム部１１５に接触する順序と前記フレーム部１１５に配置固定されたタッチ部１０５が前記タッチ膜１１０の内部領域１１０ｂに接触する順序により、残りのタッチ部１０５があらかじめ設計された固有の設計上の幾何学的関係により静電式タッチスクリーンに順次タッチ認識される。
【０１３６】
図３５〜図３９は本発明の一実施方法に係るタッチモジュール１００製作過程を図示した図面である。
【０１３７】
より詳細には、図３５〜図３９は前記図１５の実施例と類似しており、互いに異なる高さのタッチ部１０５をタッチ膜１１０の内部領域１１０ｂにあらかじめ設計された固有の設計上の幾何学的関係に配置固定し、スプリング１２５を通じてタッチ部１０５とフレーム部１１５の間を一定間隔以上離隔させて維持するタッチモジュール１００を製作する過程を図示したものであって、本発明が属した技術分野で通常の知識を有した者であれば、図３５〜図３９を参照および／または変形して前記タッチモジュール１００製作過程に対する多様な実施方法（例えば、一部の段階や構成が省略されるか、または順序が変更された実施方法）を類推できるであろうが、本発明は前記類推されるすべての実施方法を含んでなり、図３５〜図３９に図示された実施方法だけでその技術的特徴が限定されるものではない。また、本発明が属した技術分野で通常の知識を有した者であれば、図３５〜図３９の実施例を変形して他の実施例のタッチ部１０５とタッチ膜１１０およびフレーム部１１５の関係に対応するタッチモジュール１００を製作する過程を類推できるであろうが、本発明は前記類推される実施例まで権利範囲に含むことができる。
【０１３８】
図３５を参照すれば、少なくとも一つのタッチ部１０５の高さを他のタッチ部１０５の高さと異なる高さからなる複数のタッチ部１０５を準備し、前記複数のタッチ部１０５を埋め立てる埋め立て板部１３５を準備する。前記複数のタッチ部１０５を配置するための固有の幾何学的関係を設計し、前記設計された固有の幾何学的関係により埋め立て板部１３５に埋め立てホール１４０を形成する。万一、自動化されたロボット工程を通じて前記複数のタッチ部１０５をタッチ膜１１０の内部領域１１０ｂにあらかじめ設計された固有の設計上の幾何学的関係で固定することができるのであれば、前記埋め立て板部１３５の製作は省略可能である。
【０１３９】
前記設計上の幾何学的関係は各埋め立てホール１４０の中点間の設計上距離関係、各埋め立てホール１４０の中点間の設計上角度関係、各埋め立てホール１４０の中点間の設計上距離関係と角度関係の組合せのうち少なくとも一つの関係を含むことができる。
【０１４０】
本発明の実施方法によれば、前記複数の埋め立てホール１４０を配置する設計上の幾何学的関係は前記複数の埋め立てホール１４０のうちいずれか一つの指定埋め立てホール１４０を設計上のあらかじめ指定された固定位置に固定配置する幾何学的関係を含むことができる。この場合、前記設計上の幾何学的関係は前記指定埋め立てホール１４０の中点と残りの埋め立てホール１４０の中点間の設計上距離関係、前記指定埋め立てホール１４０の中点と残りの埋め立てホール１４０の中点間の設計上角度関係、前記指定埋め立てホール１４０の中点と残りの埋め立てホール１４０の中点間の設計上距離関係と角度関係の組合せのうち少なくとも一つの関係を含むことができる。一方、設計上のあらかじめ指定された固定位置に固定配置された指定埋め立てホール１４０は前記設計上の幾何学的関係の基準点を定める標識となり得る。この場合、設計上の幾何学的関係は前記指定埋め立てホール１４０を通じて定められる基準点と各埋め立てホール１４０の中点間の設計上距離関係、前記基準点と各埋め立てホール１４０の中点間の設計上角度関係、前記基準点と各埋め立てホール１４０の中点間の設計上距離関係と角度関係の組合せのうち少なくとも一つの関係を含むことができる。
【０１４１】
図３６を参照すれば、あらかじめ設計された固有の設計上の幾何学的関係で埋め立てホール１４０が形成された埋め立て板部１３５をタッチ膜１１０の内部領域１１０ｂに積層し、前記埋め立て板部１３５の埋め立てホール１４０に複数のタッチ部１０５を埋め立ててタッチ膜１１０の内部領域１１０ｂに固定する。前記埋め立て板部１３５の埋め立てホール１４０に埋め立てられた複数のタッチ部１０５は前記埋め立てホール１４０の設計上幾何学的関係と同一の設計上の幾何学的関係を形成する。一方、前記複数のタッチ部１０５が前記タッチ膜１１０の内部領域１１０ｂに固定された場合、前記埋め立て板は除去可能である。
【０１４２】
図３７を参照すれば、前記タッチ膜１１０を固定するハウジング部１２０を準備し、前記ハウジング部１２０の外部に具備される外部フレーム部１１５と前記ハウジング部１２０の内部に具備される内部フレーム部１１５を準備し、前記外部フレーム部１１５と内部フレーム部１１５の間に具備されるスプリング１２５を準備した後、図３８のように前記内部フレーム部１１５の柱をハウジング部１２０の挿入ホールに挿入して外部フレーム部１１５に結合しながら前記内部フレーム部１１５と外部フレーム部１１５の間にスプリング１２５を位置させて前記内部フレーム部１１５をハウジング部１２０に密着させる。前記内部フレーム部１１５と外部フレーム部１１５はボルト結合によって結合され得る。
【０１４３】
図３８を参照すれば、前記図３６のように製作されたタッチ膜１１０を前記図３７の工程を通じて製作されたハウジング部１２０に固定して図３９のようにタッチモジュール１００を製作する。
【０１４４】
図４０〜図４４は本発明の他の一実施方法に係るタッチモジュール１００製作過程を図示した図面である。
【０１４５】
より詳細には、図４０〜図４４は前記図２４の実施例と類似しており、互いに異なる高さのタッチ部１０５をタッチ膜１１０の内部領域１１０ｂにあらかじめ設計された固有の設計上の幾何学的関係に配置固定し、タッチモジュール１００を製作する過程を図示したものであって、本発明が属した技術分野で通常の知識を有した者であれば、図４０〜図４４を参照および／または変形して前記タッチモジュール１００製作過程に対する多様な実施方法（例えば、一部の段階や構成が省略されるか、または順序が変更された実施方法）を類推できるであろうが、本発明は前記類推されるすべての実施方法を含んでなり、図４０〜図４４に図示された実施方法だけでその技術的特徴が限定されるものではない。また、本発明が属した技術分野で通常の知識を有した者であれば、図４０〜図４４の実施例を変形して他の実施例のタッチ部１０５とタッチ膜１１０およびフレーム部１１５の関係に対応するタッチモジュール１００を製作する過程を類推できるであろうが、本発明は前記類推される実施例まで権利範囲に含むことができる。
【０１４６】
図４０を参照すれば、少なくとも一つのタッチ部１０５の高さを他のタッチ部１０５の高さと異なる高さからなる複数のタッチ部１０５を準備し、前記複数のタッチ部１０５を埋め立てる埋め立て板部１３５を準備する。前記複数のタッチ部１０５を配置するための固有の幾何学的関係を設計し、前記設計された固有の幾何学的関係により埋め立て板部１３５に埋め立てホール１４０を形成した後、図４１のように前記埋め立て板部１３５をタッチ膜１１０に積層させるとともに、前記埋め立て板部１３５の埋め立てホール１４０に複数のタッチ部１０５を埋め立ててタッチ膜１１０の内部領域１１０ｂに固定する。前記タッチ膜１１０の内部領域１１０ｂに固定された複数のタッチ部１０５は前記埋め立てホール１４０の設計上幾何学的関係と同一の設計上の幾何学的関係を形成する。
【０１４７】
図４２を参照すれば、前記タッチ膜１１０を固定するハウジング部１２０を準備し、前記ハウジング部１２０に具備されるフレーム部１１５を準備し、図４３のように前記フレーム部１１５の柱をハウジング部１２０の挿入ホールに挿入した後、前記図４１のように製作されたタッチ膜１１０を前記ハウジング部１２０に固定して図４４のようにタッチモジュール１００を製作する。
【符号の説明】
【０１４８】
１００：タッチモジュール
１０５：タッチ部
１１０：タッチ膜
１１０ａ：接触領域
１１０ｂ：内部領域
１１５：フレーム部
１２０：ハウジング部
１２５：スプリング
１３０：取っ手部
１３５：埋め立て板部
１４０：埋め立てホール
【図１】
2019075137.tif 000003
【図２】
2019075137.tif 000004
【図３】
2019075137.tif 000005
【図４】
2019075137.tif 000006
【図５】
2019075137.tif 000007
【図６】
2019075137.tif 000008
【図７】
2019075137.tif 000009
【図８】
2019075137.tif 000010
【図９】
2019075137.tif 000011
【図１０】
2019075137.tif 000012
【図１１】
2019075137.tif 000013
【図１２】
2019075137.tif 000014
【図１３】
2019075137.tif 000015
【図１４】
2019075137.tif 000016
【図１５】
2019075137.tif 000017
【図１６】
2019075137.tif 000018
【図１７】
2019075137.tif 000019
【図１８】
2019075137.tif 000020
【図１９】
2019075137.tif 000021
【図２０】
2019075137.tif 000022
【図２１】
2019075137.tif 000023
【図２２】
2019075137.tif 000024
【図２３】
2019075137.tif 000025
【図２４】
2019075137.tif 000026
【図２５】
2019075137.tif 000027
【図２６】
2019075137.tif 000028
【図２７】
2019075137.tif 000029
【図２８】
2019075137.tif 000030
【図２９】
2019075137.tif 000031
【図３０】
2019075137.tif 000032
【図３１】
2019075137.tif 000033
【図３２】
2019075137.tif 000034
【図３３】
2019075137.tif 000035
【図３４】
2019075137.tif 000036
【図３５】
2019075137.tif 000037
【図３６】
2019075137.tif 000038
【図３７】
2019075137.tif 000039
【図３８】
2019075137.tif 000040
【図３９】
2019075137.tif 000041
【図４０】
2019075137.tif 000042
【図４１】
2019075137.tif 000043
【図４２】
2019075137.tif 000044
【図４３】
2019075137.tif 000045
【図４４】
2019075137.tif 000046